(57)【要約】皮膚にあらかじめ塗布しておいた物質の吸収を増大させるために、皮膚に電気パルスと機械的振動を制御されたかたちで加える。電気パルスは、振動ヘッド上に配置した電極アレイによって皮膚に加え、機械的振動は、振動ヘッドを振動させることによって皮膚に加える。吸収効果を増大させるうえでは、電気的振動と機械的振動を互いに同一の位相とするのが好ましい。
2004526517.tif 000002
【特許請求の範囲】
【請求項１】
経皮吸収を促進する装置であって、
振動ヘッドと、
振動ヘッド上に配置された電極アレイと、
電極アレイに電気的に接続された電気パルス発生装置とを備え、
電極アレイを介して皮膚に電気パルスを加え、同時に、振動ヘッドを介して皮膚に機械振動を加えて、皮膚に塗布した物質の吸収を促進する経皮吸収促進装置。
【請求項２】
電気パルスが指数曲線形のパルスである請求項1記載の装置。
【請求項３】
振動ヘッドに配置されたローラーをさらに備えた装置であって、
物質が液体またはゲルであり、
物質の皮膚への塗布をローラーによって行う請求項1記載の装置。
【請求項４】
電極に電気的に接続されたイオン泳動発生装置をさらに備えた装置であって、その結果として、患者にイオン泳動効果が加えられる請求項3記載の装置。
【請求項５】
プローブと、
プローブのヘッド上に配置された電極アレイと、
電極アレイに電気的に接続された電気パルス発生装置とを備えた装置であって、
パルス発生装置からの電気パルス出力を、電極アレイを介して皮膚に加える経皮吸収促進装置。
【請求項６】
パルス発生装置が、1次巻線と2次巻線を有する変圧器を備え、
パルス発生装置からの電気パルス出力が、変圧器の1次巻線に矩形波パルスを印加した結果として2次巻線から得られる出力である請求項5記載の装置。
【請求項７】
患者の皮膚表面に載置した物質の吸収を促進する処置方法であって、
a）経皮吸収させようとする物質を皮膚に塗布し、
b）皮膚上に置いた振動板を介して10 Hz〜200 Hzの振動を皮膚に加え、その際、振動板は、手持ち式のプローブ上に配置しておき、
c）周波数50 Hz〜15,000 Hz、ピーク電圧20 V〜200 Vのバースト状の電気パルスシーケンスを、皮膚上に置いた電極アレイに加え、その際、電極アレイは、振動板上に配置しておく段階を含む方法であって、
皮膚に、バースト状の電気パルスシーケンスと振動とを同時に加えることによって、皮膚に塗布した物質の吸収を促進させる処置方法。
【請求項８】
電極が平行な金属ストライプであり、この金属ストライプが、交互に互いに接続され、振動プレートの外面に配置されている請求項7記載の処置方法。
【請求項９】
電極が丸形の電極であり、この丸形電極が、交互に互いに接続され、振動プレートの外面に配置されている請求項7記載の処置方法。
【請求項１０】
電極と、患者に接続した接地板との間に直流電流を印加する請求項7記載の処置方法。
【請求項１１】
塗布段階a）を、プローブと一体に配置したローラーを用いて液体、ゲル、クリーム、またはローションを塗布することによって行う請求項7記載の処置方法。
【請求項１２】
電極と、患者に接続した板との間に直流電流を印加する請求項11記載の処置方法。
【請求項１３】
電気パルスが、極性が交互に変わる出力である請求項2記載の装置。
【請求項１４】
電気パルス発生装置が、1次巻線と2次巻線を有する変圧器を備え、
パルス発生装置からの電気パルス出力が、変圧器の1次巻線に矩形波パルスを印加した結果として2次巻線から得られる出力である請求項13記載の装置。
【請求項１５】
電気パルスが、周波数40 Hz〜100 Hzのパルス1〜30個を含むバースト状の出力であり、
電気パルスの周波数が、振動ヘッドによる機械的振動に対応する周波数と同一である請求項14記載の装置。
【請求項１６】
電極列が、
変圧器の第一出力端子に接続されている中央の電極と、
中央の電極のまわりに配置され、変圧器の第２出力端子に接続されている複数の周辺部の電極とを備えている、請求項14記載の装置。
【請求項１７】
各電極が、直径5 mm〜10 mmの丸形形状を有し、
各電極が、互いに10 mm〜20 mmの間隔をおいて配置されている請求項14記載の装置。
【発明の詳細な説明】
【技術分野】
【０００１】
A.  発明の分野
本発明は、皮膚にあらかじめ塗布しておいた物質の吸収を増大させる目的で、皮膚に、電気パルスと機械振動の両方を、同時かつ制御されたかたちで加えることに関する。
【背景技術】
【０００２】
B.  関連技術の説明
皮膚にあらかじめ塗布しておいた物質の、皮膚からの吸収を促進するうえでは、皮膚に振動を加えることが有用なことが知られている。こうした物質としては、たとえば、ジェル、ローション、クリームなどがある。
【０００３】
皮膚に塗布した物質が有する効果（たとえば、加湿効果）を増大させる目的で、皮膚にあらかじめ塗布しておいた物質の、皮膚からの吸収を増大させる装置および方法を提供することが望まれている。
【発明の開示】
【０００４】
本発明は、皮膚にあらかじめ塗布しておいた物質の、皮膚からの吸収を促進する装置および方法に関するものである。
【０００５】
この目的を達成するために、本発明は、電気パルスのシーケンス（好ましくは、ピーク・ツー・ピークで20 V〜200 V、好ましくは、50 Hz〜15,000 Hzのパルスシーケンス）を使用し、（物質を、電極と皮膚との間に載置したうえで）皮膚に接触するよう配置した電極にこの電気パルスを印加する。皮膚には、これと対応した表面振動も、機械的振動を加えることによって加える。この機械的振動の周波数および位相は、皮膚に加える電気パルスと同じものとするのが好ましい。機械的振動は、振動板によって加え、この振動板には、電極（皮膚に機械的な振動が加わるのと同時に皮膚に対して電気的な刺激を加える電極）も設けておく。
【０００６】
皮膚から吸収させる物質は、皮膚と板との間に適用する。吸収させる物質としては、クリーム、液体、ジェル（たとえば、コラーゲン、カカオバター、サンタンオイル、その他の皮膚強化ローション）を挙げることができる。
【０００７】
本発明の方法は、下記を包含するものである。
1）液体、ジェル、ローション、またはクリームの皮膚への塗布。
2）上記の処置を実行するための、下記の部品、すなわち
a）振動板、
b）振動板上に配置された電極アレイ、
c）電極アレイに接続されたパルス発生装置
を備えた装置。
3）前もって皮膚に塗布しておいた物資の自然な吸収を増大させるための、皮膚上での装置の適用。
【０００８】
発明の詳細な説明
次に、本発明の好適な態様を、添付した図面に言及しつつ詳細に説明する。
【０００９】
本発明者らは、皮膚での実験的試験にもとづいて、皮膚の2点間に１以上のパルスを印加すると、この2点間の領域の蒸泄(transpiration)（または吸収）が増大することを見いだした。最適の結果が得られるパルスは、充電済みのコンデンサを皮膚の2点で放電させることによって得られる指数曲線形のパルスである。
【００１０】
本発明者らは、こうした実験の結果を利用して、皮膚の蒸泄を高レベルに保つことによって、あらかじめ皮膚に塗布しておいたジェル、液体、ローション、またはクリームを皮膚が吸収しやすいようにする装置および方法を開発した。
【００１１】
本発明の装置では、皮膚と接触するように配置した電極アレイを用いて、皮膚の一領域にパルスシーケンスを印加する。電極アレイは、プローブ、たとえば、図５に示すような手持ち式プローブ500のヘッドに配置した振動板に設けてある。電極アレイは、第1の実施態様としては、図2Aに示すような配置とすることができ、すなわち、奇数列の電極を相互に電気的に接続したうえで第1電気接続部を介してパルス発生装置400に接続し（図4も参照）、偶数列の電極を相互に電気的に接続したうえで第2電気接続部を介してパルス発生装置400に接続するといった配置とすることができる。振動板上の電極アレイは、また、第2の実施態様として、図2Bに示すような配置とすることができ、すなわち、奇数列の丸形電極を相互に電気的に接続したうえで第1電気接続部を介してパルス発生装置400に接続し、偶数列の丸形電極を相互に電気的に接続したうえで第2電気接続部を介してパルス発生装置400に接続するといった配置とすることができる。
【００１２】
本発明によって皮膚の蒸泄が増大する結果、皮膚の電極配置地点間の領域にあらかじめ塗布しておいた液体、クリーム、ローション、またはジェルの吸収を増大させる効果が得られる。
【００１３】
皮膚の蒸泄を増やす目的で皮膚に印加する電気パルスは、皮膚上に配置したコンデンサからの放電によって得られたパルスである。図4の変圧器410の1次巻線に矩形波のパルスを入力すると、皮膚に接続された変圧器410の2次巻線から出力が得られ、コンデンサから放電させたのと同様の効果が得られる。各矩形波入力パルスの立ち上がりと立ち下がりの間に、指数曲線形のパルスが発生し、立ち上がりと立ち下がりの際に発生するパルスは符号が逆である（立ち上がりで正、立ち下がりで負）。図4に示すようなパルス発生装置を使用すると、皮膚にバースト状の独立パルス（たとえば、約1000パルス／秒）を印加することが可能となり、皮膚に１パルスのみを加えた場合より良好な蒸泄効果が得られる。
【００１４】
通常、矩形波を皮膚に印加すると、皮膚がコンデンサ効果を有するので、時定数が約3ミリ秒の指数曲線形の遅延電流を得ることができる。これが、抵抗器がコンデンサと並列に配置された状態に対応する回路に矩形波の電圧を印加した場合に生じる事態である。こうした回路の場合、ピーク電流のみが増強され、変圧器410の磁気エネルギーと等しい電気エネルギーが加わることによって、皮膚の電気容量の最大許容電圧まで充電される。この効果によって、皮膚に各パルスが印加されている間のみ、皮膚の細胞膜に開口が生じる（その結果、蒸泄効果が得られる）ものと考えられる。
【００１５】
皮膚にプローブを適用することの効果は、電極アレイによって印加された電気パルスのために皮膚の振動が生じることにある。電気パルスは、好ましくは、200 Hz〜10,000 Hzの範囲の固定周波数として印加し（周波数値は、2,500 Hz〜3,000 Hzの範囲が最適）、バーストとしてまとめて印加する。各バーストのオン時間は、5ミリ秒〜50ミリ秒の固定値、オフ時間は、5ミリ秒〜50ミリ秒の固定値とする（バーストのオン時間として好適なのは10ミリ秒、連続したバースト間のオフ時間として好適なのは10ミリ秒である）。
【００１６】
上述したように、電極によって皮膚に印加する電気パルスは、ピーク・ツー・ピークの電圧が160 V、固定周波数が2,500 Hz〜3,000 Hzの指数曲線形のパルスとするのが好ましい。このような電気パルスを生成する一つの方法では、図4に示すパルス発生装置400に相当する電気的構造で、変圧器410を部品として使用されているものを用いる。変圧器410は、パルス発生装置400他の部品とともに、図5のプローブ500内に収納するのが好ましい。
【００１７】
あらためて図4について説明すると、変圧器410の1次巻線420は、オン・オフで切り換えられるトランジスタ430によって駆動され、変圧器410の2次巻線440は、間に配置された電気抵抗450を介して、電極アレイに直接印加される（図1Aまたは1B参照）。電気抵抗450は、200 キロオームあるいはその近辺の値（たとえば100 キロオーム〜500 キロオーム）として、電極アレイが皮膚に載置されていないときに高電圧が流れるのを防ぐ目的で、すなわち、そうした場合には、抵抗が開路として機能するように、配置されている。この場合、ピーク・ツー・ピークの電圧は、400 V近辺となる。
【００１８】
上述したように、皮膚には、電気パルスを加えるのと並行して、機械振動も加えて、皮膚にあらかじめ塗布しておいた物質の吸収を増大させる。
【００１９】
吸収効果は、蒸泄を同時に増大させることによって高めることができるので、機械的振動と電気パルス印加の位相および周波数を同期させると、吸収効果が最大となる。したがって、上述した態様では、電極アレイを用いて、皮膚に、バースト状の電気パルス（2,200 Hz）を、バーストのオン／オフ周波数をたとえば50 Hzとして加える間に、振動板を用いて、皮膚を同じ周波数、たとえば、50 Hzで機械的にも振動させる。また、皮膚吸収効果を増大させるうえでは、機械的振動と電気バーストを、互いに周期を調整しつつ加えるのが好ましい。このように周波数と位相の同期を達成する方法としては、いくつかの方法が周知である。本明細書に記載した好適な態様では、光学センサー（図示せず）でモーターの偏心運動を検知し、検知した運動にもとづいてバースト状の電気パルスをゲート制御している。
【００２０】
したがって、上述の態様では、皮膚に電極アレイを用いてバースト状の電気パルスを加える間に、皮膚を、振動板を用いて、同じ周波数で機械的に振動させる。機械的振動と電気パルスは、互いに周期を調製しつつ加えて皮膚吸収効果を高めることが好ましい。
【００２１】
また、吸収効果は、機械的振動を皮膚表面に対して垂直方向に加えることでさらに高めることができる。本発明の物理的な現象についての一つの説明としては、電気パルスが、皮膚を「伸ばし」て、皮膚の開口部の径を定期的に広げるのと同時に、機械的振動が、物質（ジェル、液体、またはクリーム）を、皮膚内部に（拡径された開口部を通して）「ポンプ」するというものである。機械的振動と電気パルスを同期させると、（皮膚への電気刺激によって）開口部の「開口」径が最大となっている間に、（皮膚への機械的刺激による）「ポンプ」作用が同時に生じるという効果が得られる。
【００２２】
本発明の装置は、2つの主要部分、すなわち
A）電源（たとえば電池）およびパルス発生装置を備えたハンドル、ならびに
B）振動を生成する部品および電極アレイを備えた振動ヘッド
を備えている。
【００２３】
好適な形状の振動ヘッドは、皮膚を振動させる直流電気モーターを備えている。図1Aおよび1Bは、直流電気モーター110をそれぞれ別の側から見た図であり、直流電気モーター110の回転軸は、偏心運動を実現する偏心機構120となっている。直流電気モーター110の回転時の偏心運動によって、（直流電気モーター110に直接結合した）振動板130に、直流電気モーター110の回転と同じ周波数（たとえば、50 Hzまたは60 Hzまたは他の所望の周波数）の振動が生じる。
【００２４】
先にも説明したように、図4は、図2Aおよび2Bに示す電極アレイに電気パルスを加える回路を示す。図4の回路は、パルス発生装置400に対応するものであり、図5のプローブ500のハウジング内に配置するのが好ましい。パルス発生装置400によって生成された電気パルスは、このパルスを皮膚に加える場合には、好ましくは、ピーク・ツー・ピークの電圧が、160 V、周波数が2,500 Hz〜3,000 Hzの正弦曲線パルスとするのが好ましい。もちろん、本明細書に記載する本発明の範囲から逸脱することなく、他のピーク・ツー・ピークの電圧値（たとえば、100 V〜200 V）および動作周波数（50 Hz〜15,000 Hz）を用いることもできる。
【００２５】
図1Aおよび1Bは、直流電気モーター110に物理的に結合された振動板130を示す。振動板130は、サイズを50 x 50 mmとし、平行な金属ストライプを図2Aに示すように堆積して電極アレイを形成しておくのが好ましい。振動板130は、（振動板上に配置した）電極アレイによって皮膚に加える電気パルスと同じ位相および周波数で振動させて、皮膚吸収効果を増大させる。
【００２６】
図2Aは、振動板130の皮膚側の表面に設ける電極アレイ210の第1の態様を示す。この図に示すように、振動板130には、それぞれサイズが50 mm x 4 mmであるような5本の互いに平行な金属ストライプ220を設ける。5本の電極220は、それぞれ、隣接する電極と6 mm離して設置するのが好ましい。電極220は、交互に電気的に接続する（たとえば、第1、第3、および第5列を電気的配線250によって互いに電気的に接続し、第2および第4列を、電気的配線260によって互いに電気的に接続する）。他の電極アレイの構成は、本発明の範囲内にあれば、7つまたは8つの電極が設けられたような、2つを越える多くの電極が設けられたものとすることができる。
【００２７】
図2Bは、振動板の皮膚側の表面に設ける電極アレイの第2の態様を示す。図2Bでは、それぞれ直径4 mmの丸形電極230が25個、隣接する丸形電極から少なくとも6 mmの間隔をおいて配置してある。丸形電極230は、交互に電気的に接続する（たとえば、第1、第3、第5列の電極を、電気的配線270によって互いに電気的に接続し、第2、第4列の電極を、電気的配線280によって互いに電気的に接続する）。図2Bに示す電極230の間隔は、1 mm〜20 mmの範囲とし、各電極230のサイズは、直径1 mm〜20 mmの範囲とする。
【００２８】
図2Cは、皮膚と対向する振動板の外面に設けられた、本発明の第3の態様の電極アレイを示す。図2Cでは、互いに電気的に接続され、第1の電気的接続235によってパルス発生装置400に電気的に接続された電極233が、振動板の周囲に配置してある。図2Cには、中央に配置した電極237も示してあるが、この電極は他の電極と電気的に接続することなく、第2の電気的接続239によって、パルス発生装置400に電気的に接続してある。
【００２９】
図3は、本発明で電気的刺激と機械的刺激の双方を皮膚に加えて、皮膚にあらかじめ塗布しておいた物質の吸収を改善する際に使用するプローブの振動ヘッド310の側面図である。図3に示すように、振動ヘッド310の皮膚側の表面には、電極アレイ320が設けてある。電極アレイ320は、たとえば、図2Aまたは2Bに示すようなかたちで設けることができる。電極アレイ320と皮膚330の間には、吸収させようとする物質340を配置し、この物質340は、あらかじめ皮膚330に塗布しておく（たとえば、プローブを皮膚330に適用する30秒〜2分前に皮膚に塗布しておく）。機械的振動および電気パルスを加えると、物質340の皮膚330への吸収が促進される。
【００３０】
図5は、本発明で皮膚に電気的刺激と機械的刺激の双方を加える際に使用することのできる手持ち式プローブ500の構成の一例を示す。このプローブ500は、ユーザーが片手で簡単にもてるように構成される。ユーザーがプローブ500を持つために手で握る部分でもあるプローブ500の底部には、電気コードの引き出し口510が設けてあるので、コードをコンセント（壁のコンセント）まで伸ばして、プローブ500に交流電圧を供給することができる。また、プローブ500のハウジングに収納した電池（図示せず）を用いて、電池で駆動することも可能である。電池は、交流電源が使用困難な場合の電源として使用することができる。また、図4のパルス発生装置400は、プローブ500のハンドル部分に収納するのが好ましい。
【００３１】
プローブ500のヘッド部分は、振動板130をとりつける部分であるもあるが、（図1Aまたは1B参照）、この部分には、振動板130を機械的に振動させる直流電気モーター110（図1Aまたは1Bも参照）も収納するのが好ましい。電極アレイ（図2Aまたは2B参照）は、振動板130の外面に設けてあるので、プローブ500で処置を行うユーザーの皮膚と対向することになる。
【００３２】
プローブの皮膚への適用時間は、通常、およそ10秒〜最大数分である。
【００３３】
第4の態様では、図6に示すように、パルス発生装置400の出力（図4も参照）を、上述の皮膚吸収/蒸泄効果に加えてイオン泳動効果も生じる直流発生装置610に接続してある。イオン泳動効果（イオントフォレーシス）は、当業者には周知の効果で、交流または交流パルスのイオン泳動電気発生装置が、現在、いくつか市販されている。直流発生装置610の直流出力を、プローブの電極と患者のからだに接続された接地板との間に印加する。患者の皮膚から吸収させる物質に応じて、患者の接地板の接続端子を、当業者に周知の方法で、直流発生装置610のプラス側またはマイナス側に接続する。連続した直流ではなく、平均電流の値が連続した直流の場合と等しく、動作周期が5%〜50%の範囲、周波数が10 Hz〜5000 Hzの範囲であるような直流パルスを使用することもできる。この場合、直流パルスのピーク電流は、パルス印加（オン）時間の方が高い。
【００３４】
第5の態様では、図7および8に示すように、液体、クリーム、またはジェル720を入れておくためのディスペンサーまたはチャンバー710を、プローブの振動ヘッドと一体に設けてある。ディスペンサーまたはチャンバー710は、電極アレイ705と振動板130の間に配置する。バースト状の電気パルスは、液体を塗布する導電性ローラー740および電極アレイ705によって印加する。第3の態様と同じく、電極アレイ705と患者のからだの間に直流電流を加えて、さらにイオン泳動効果を生じさせることもできる。振動ヘッドを患者の皮膚上で移動させる間に、ローラー740が、液体、クリーム、または720を患者の皮膚に搬送する。
【００３５】
振動ヘッド内の、ローラー740が内部に配置されているチャンバー710には、液体、クリーム、またはジェル状の物質720を、着脱可能なキャップ（図示せず）を使用して充填することができる。具体的には、ユーザーは、キャップをとりはずし（たとえば、プローブのヘッドから、ネジ蓋状のキャップを回してはずし）、その後、チャンバー710に、患者の皮膚に適用する物質720を、液体注入口760から注入する。ユーザーは、その後、キャップを締め（たとえば、液体注入口760にネジ締めし）、ローラー740で患者の皮膚に塗布を行う時点まで物質720をプローブのチャンバー710内に保持しておく。
【００３６】
図8は、電極705の正面図で、電極705は、互いに電気的接続820によって電気的に接続された２本のストライプ電極として示してある。もちろん、この第5の態様で、もっと別のタイプの電極アレイ、たとえば、図2Aおよび2Bに示すような電極アレイを使用することも可能である。図8には、患者の皮膚に物質を塗布するローラー740の露出面830を示す。供給用間隙部840も図8には示してあり、この間隙部840が設けてあるので、チャンバー710内の液体、クリームまたはジェル状物質720が、チャンバー710から徐々に外に出て、ローラー740によって患者の皮膚に塗布されることが可能となっている。
【００３７】
本発明の第6の態様では、皮膚からの吸収を促進する装置は、電極アレイと、電極アレイに電気的に接続されたパルス発生装置とを備えている。電極アレイの配置は、たとえば、図2A〜2Cに示す配置のいずれとしてもよい。第6の態様では、パルス発生装置400によって電極アレイに出力される電気パルスは、指数曲線形パルスのシーケンス、たとえば、図4Bに示すパルス列である。指数曲線形の電気パルスは、電極アレイによって皮膚に印加され、図4、4Aおよび4Bに示すように、1次巻線が矩形波電圧によって駆動される高電圧変圧器の2次巻線によって生成される。
【００３８】
第6の態様では、これまでの態様とは異なり、振動ヘッドを使用せず、電極アレイによって皮膚に電気パルスを加えることによってのみ、皮膚からの吸収を促進する。第6の態様の電極アレイは、プローブのヘッドのプレートに設けてあり、この場合、ヘッドおよびプレートは、振動しない。したがって、第6の態様では、図1Aおよび1Bに示すような構造を使用することはなく、プローブのヘッドにおいて電極を所定位置に保持するプレートのみが必要となる。
【００３９】
第７の態様では、第１〜第５の態様と同じく振動ヘッドを使用するものの、プローブに設けた制御部材（たとえばスイッチ）を用いて、振動ヘッドのオンオフの切り替えが可能となっている。制御部材は、プローブのオペレータが、患者の治療を行う目的で簡単に操作することができる。
【００４０】
以上では、本発明の各種の態様について説明を行った。本明細書に記載、例示した技術および構造については、本発明の精神や範囲から逸脱することなく、さまざまなかたちで改良および変更を加えることが可能である。このように、本明細書に記載した装置は、本発明を例示するためにのみ示したものであって、本発明の範囲はこれらの装置によって限定するものでなないと理解されたい。
【図面の簡単な説明】
【００４１】
本発明の以上の利点および特徴は、以下の詳細な説明および以下の添付図面を参照することによって明らかとなるはずである。
【図１】Aは本発明の装置の内部に配置された振動メカニズムの側面図を示す。BはAの振動メカニズムの正面図である。
【図２Ａ】皮膚に対向する振動板の外面に配置された本発明の第1の実施態様の電極アレイを示す。
【図２Ｂ】皮膚に対向する振動板の外面に配置された本発明の第2の実施態様の電極アレイを示す。
【図２Ｃ】皮膚に対向する振動板の外面に配置された本発明の第3の実施態様の電極アレイを示す。
【図３】本発明で、皮膚に電気的・機械的刺激を加えて、皮膚にあらかじめ塗布しておいた物質の吸収を促進するために使用するプローブヘッドの側面図を示す。
【図４】本発明の装置として可能な一態様において、プローブのヘッド側端部に設けられた振動板上に配置した電極アレイに電気パルスを印加するパルス発生装置を示す電気配線図である。
【図４Ａ】図4のパルス発生装置に入力する矩形波パルス列を示す。
【図４Ｂ】図4のパルス発生装置から出力する指数曲線形パルス列を示す。
【図５】本発明で、皮膚に電気的刺激と機械的刺激の双方を加えるために使用する手持ち式プローブの一構成を示す。
【図６】本発明の第4の実施態様の電流発生装置の接続を示す。
【図７】本発明の第5の実施態様で、プローブのヘッド部分に設ける部品を示す。
【図８】本発明の第5の実施態様におけるプローブのヘッド部分の正面図である。
【図１】
2004526517.tif 000003
【図２Ａ】
2004526517.tif 000004
【図２Ｂ】
2004526517.tif 000005
【図２Ｃ】
2004526517.tif 000006
【図３】
2004526517.tif 000007
【図４】
2004526517.tif 000008
【図４Ａ】
2004526517.tif 000009
【図４Ｂ】
2004526517.tif 000010
【図５】
2004526517.tif 000011
【図６】
2004526517.tif 000012
【図７】
2004526517.tif 000013
【図８】
2004526517.tif 000014
【国際公開パンフレット】
2004526517.tif 000015
2004526517.tif 000016
2004526517.tif 000017
2004526517.tif 000018
2004526517.tif 000019
2004526517.tif 000020
2004526517.tif 000021
2004526517.tif 000022
2004526517.tif 000023
2004526517.tif 000024
2004526517.tif 000025
2004526517.tif 000026
2004526517.tif 000027
2004526517.tif 000028
2004526517.tif 000029
2004526517.tif 000030
2004526517.tif 000031
2004526517.tif 000032
2004526517.tif 000033
2004526517.tif 000034
2004526517.tif 000035
2004526517.tif 000036
2004526517.tif 000037
2004526517.tif 000038
2004526517.tif 000039
2004526517.tif 000040
2004526517.tif 000041
2004526517.tif 000042
2004526517.tif 000043
【国際公開パンフレット（コレクトバージョン）】
2004526517.tif 000044
【国際調査報告】
2004526517.tif 000045
2004526517.tif 000046
2004526517.tif 000047